(57)【要約】　　　（修正有）【課題】靴下の内面、特に爪先部の先端部まで凹凸面に形成でき、空気層を設けて保温性と通気性に富むと共に、履き心地が良く、特に糖尿病の人や冷え症の人など足先が冷たく感じる人に適する二重靴下を提供する。【解決手段】連続して編成した外側靴下Ａと内側靴下Ｂを重合してなる二重靴下である。長さ方向の略中央部の筒体に編成した薄編地部８を爪先部７、７´の先端部になるように形成する。少なくとも内側靴下Ｂの爪先部７´又は／及び底部６´の内面を編み組織による凹凸面に形成する。【選択図】　　図３
0003098891.tif 000002
【実用新案登録請求の範囲】
【請求項１】
連続して編成した外側靴下と内側靴下を重合してなる二重靴下であって、長さ方向の略中央部の筒体に編成した薄編地部を爪先部の先端部になるように形成すると共に、少なくとも内側靴下の爪先部又は／及び底部の内面を編み組織による凹凸面に形成したことを特徴とする二重靴下。
【請求項２】
連続して編成した短筒体と靴下本体を重合してなる爪先部が二重の靴下であって、爪先部に編成した薄編地部を爪先部の先端部になるように形成すると共に、少なくとも靴下本体の爪先部又は／及び底部の内面を編み組織による凹凸面に形成したことを特徴とする二重靴下。
【請求項３】
薄編地部は他部よりも細い糸条で編成してある請求項１または２記載の二重靴下。
【請求項４】
編み組織が畦編またはタック編である請求項１、２または３記載の二重靴下。
【考案の詳細な説明】
【０００１】
【考案の属する技術分野】
本考案は、保温性と通気性に優れると共に、着用感の良い二重靴下に関するものである。
【０００２】
【従来の技術】
貧血症、低血圧、低体温などの人、あるいは冷え症や糖尿病を患っている人は季節や外気温に関係なく、常に足先などが冷たく感じることから、冬期は勿論のこと、夏期においても靴下を脱ぐことができず、一年中着用して冷えを防いでいる。
【０００３】
そのような人が履く靴下としては、保温性の高い内面全体を総パイル地とした靴下。（例えば、特許文献１参照）または踵部、底部、爪先部の部分をパイル地とした底パイル靴下。（例えば、特許文献２参照）あるいは内側靴下と外側靴下を重ね合わせてなる二重靴下。（例えば、特許文献３参照）などがある。
【０００４】
【特許文献１】
実公昭４８−２７９４８号公報（第１頁、１欄２３〜２５行目、図４）
【特許文献２】
実開昭５２−３３３号公報（第２頁、２〜７行目、図１）
【特許文献３】
特公昭５６−２９００１号公報（第１頁、２欄１０〜１８行目、図１）
【０００５】
【考案が解決しょうとする課題】
しかしながら、前記特許文献１の内面総パイル地からなる靴下は、パイル地によってかなりの厚さになって嵩高くなり、保温性に優れているがパイルが腰折れしやすく、腰折れすると履き心地が悪くなって着用感が悪いと言った欠点があった。また、保温性に優れていることから、発汗しやすく汗を吸収して濡れた靴下は足に密着して不快感を与えると共に、足の皮膚と靴下との間の空気層がなくなって通気性が失われ、足がムレルと同時に、濡れた靴下は汗の蒸発による潜熱で温度を下げ逆冷え現象が生じると言った問題点があった。
【０００６】
また、前記特許文献２の踵部、底部、爪先部の部分がパイル地の靴下は、総パイル生地に較べて通気性は良いが、足底部が分厚くなっているため、伸縮性や可撓性が少なくなって履き心地が悪くなると言った問題点があった。
【０００７】
さらに、前記特許文献３の二重構造の靴下は、内側靴下と外側靴下を左右対称に丸編みし、両爪先部の筒状体の中央部を閉じ縫いし、内側靴下と外側靴下とが二重に重なるように折り返したものであり、内側靴下と外側靴下がうまく重ならず、歩行しているうちに内側または外側の靴下がズレたり、ネジれたりして歩きずらい欠点がある。また、爪先部の両側部に編地の溜まりが大きくダンゴ状になって、ゴロツキ履き心地が悪いと共に、内側靴下と外側靴下の隙間空間は、保温、断熱成果をあげる特別な構成になっていないため、今ひとつ保温性、通気性が優れなかった。
【０００８】
また、一般的な靴下は、履口部から爪先部の方向に丸編されていき最後に爪先部の開口部をかがり縫いして靴下を得るが、そのかがり縫いされた縫着部分が硬くなったり、あるいは縫着糸の両端部が長く切断されると両側部でゴロつくことがあり着用感が悪くなる。特に、そのような靴下を、糖尿病の人が履くと、縫着糸が指先に当り食い込んで指先に悪影響を与えることになり、靴下の内面側に縫着糸が出ない足を優しく包んで保護する靴下が望まれていた。
【０００９】
本考案は、このような問題を解決することを課題として研究開発されたもので、靴下の内面、特に爪先部の先端部まで凹凸面に形成でき、空気層を設けて保温性と通気性に富むと共に、履き心地の良い、特に糖尿病の人や冷え症の人など足先が冷たく感じる人に適する二重靴下を提供することを目的とするものである。
【００１０】
【課題を解決するための手段】
上記の課題を解決し、その目的を達成するために、本考案は、連続して編成した外側靴下と内側靴下を重合してなる二重靴下であって、長さ方向の略中央部の筒体に編成した薄編地部を爪先部の先端部になるように形成すると共に、少なくとも内側靴下の爪先部又は／及び底部の内面を編み組織による凹凸面に形成したことを特徴とする二重靴下を開発し、採用した。
【００１１】
また、本考案は、連続して編成した短筒体と靴下本体を重合してなる爪先部が二重の靴下であって、爪先部に編成した薄編地部を爪先部の先端になるように形成すると共に、少なくとも靴下本体の爪先部又は／及び底部の内面を編み組織による凹凸面に形成したことを特徴とする靴下を開発し、採用した。
【００１２】
さらに、本考案は上記のように構成した二重靴下において、薄編地部は他部よりも細い糸条で編成してある二重靴下、および編み組織が畦編またはタック編である二重靴下を開発し、採用した。
【００１３】
【考案の実施の形態】
以下に、本考案に係る二重靴下の実施の形態を添付の図面に基づいて説明すれば、図１〜図１０は本考案の第１実施の形態を示しており、１は靴下本体で、外側靴下Ａと内側靴下Ｂが連続して編成され、一方の靴下を反転して重ね合わせた二重靴下である。すなわち、外側靴下Ａの履口部２から編まれ、脚部３、踵部４、甲部５、底部６、爪先部７を連続して編成し、さらに続けて内側靴下Ｂの爪先部７’、底部６’、甲部５’、踵部４’、脚部３’、履口部２’を編成してある。
【００１４】
８は外側靴下Ａと内側靴下Ｂの中間部の筒体に設けた細幅の薄編地部であり、２〜４コース他部の糸より細い糸で編まれ環状に編成されている。その薄編地部８に環縫いミシンで直線縫い８ａして外側靴下Ａと内側靴下Ｂの爪先部７，７の先端部となるように形成してある。
【００１５】
履口部２、２は、普通の靴下と同様にコース方向にポリウレタン弾性糸等の伸縮糸を挿入して編成されていると共に、脚部３，３’、甲部５，５’、底部６，６’、爪先部７，７’を、図９に示すように、１ウエール毎に表目と裏目とを交互に配した１×１の畦編に編成して凹凸面に形成してあると共に、踵部４，４’のみ平編に編成されている。また、畦編に代えて図１０に示すように、２回タックのタック編みによって凹凸面にすることもある。
【００１６】
そして、外側靴下Ａの履口部２から反転させて表生地を表し、外側靴下Ａの脚部３、踵部４、甲部５、底部６、爪先部７を内側靴下Ｂの爪先部７’、底部６’、甲部５’、踵部４’、脚部３’、履口部２’に重合させて履口部２、２で縫着してある。
【００１７】
このように構成した二重靴下は、内側靴下Ａと外側靴下Ｂの間に空気層ができ、踵部４を除いた脚部３、甲部５、底部６、爪先部７の内面が畦編またはタック編されて凹凸面になっており、その凹凸部が足の膚部に当接し、凹部が空気層となり断熱、保温の成果を上げる事ができ、保温性と通気性がよくなり、履き心地が良くなる。
【００１８】
また、薄編地部８によって爪先部７の先端部まで畦編またはタック編で凹凸面が形成されることから、一番冷える爪先部が保温できると共に、従来の二重靴下のように、爪先部７の先端両側部にできる編地の溜まりによるダンゴ状の突出部がなくなり履き易くなる。
【００１９】
つぎに、図１１〜図１５は本考案の第２実施の形態を示しており、前記第１実施の形態と相違しているのは、外側靴下Ａに代えて短筒体１９として爪先部１７のみを二重にした点であって、その他の構成は第１実施の形態と同一である。
【００２０】
この第２実施の形態のものは、前記第１実施の形態のものが靴下本体１の全体が二重構造であったのに対して、爪先部１７のみ二重とした点においてのみ相違しているものであって、その他の作用、効果は第１実施の形態のものと同じである。
【００２１】
すなわち、靴下本体１１は、短筒体１９に続いて爪先部１７、底部１６、甲部１５、踵部１４、脚部１３、履口部２と筒状に一連に編成し、前記実施の形態１と同様に、履口部１２と踵部１４を除く、脚部１３、甲部１５、底部１６、爪先部１７を何れも畦編またはタック編とし、踵部１４を平編みに編成してある。
【００２２】
爪先部１７に２〜４コース他部の糸より細い糸で編まれた細幅の薄編地部１８を設け、その薄編地部１８に環縫いミシンで直線縫い１８ａして靴下本体１１の爪先部１７の先端部となるように形成してある。
【００２３】
そして、短筒体１９を反転させて靴下本体１１の爪先部１７に重合させて縫着する事により爪先部１７が二重の靴下になる。
【００２４】
このように構成した爪先部１７が二重の靴下は、少ない生地で一番冷え込む爪先部１７が二重になっていることから、保温性があり、また、靴下本体１１の内面が畦編またはタック編されて凹凸面になっており、その凹凸面が足の膚部に当接し、凹部が空気層となり断熱、保温の成果を上げる事ができ、保温性と通気性がよくなり、履き心地が良くなる。
【００２５】
以上、本考案の主要な実施の形態について説明したが、本考案は上記の実施の形態に限定されるものではなく、考案の目的を達成でき、かつ考案の要旨を逸脱しない範囲内で種々の設計変更が可能である。
【００２６】
【考案の効果】
以上のように、本考案の請求項１に記載の二重靴下によれば、内側靴下の内面が編み組織による凹凸面に形成されており、空気層となり断熱、保温の成果を上げることができ、保温性と通気性がよくなると共に、爪先部における縫着部の膨らみが少なくなって、爪先部の感触がよくなり履き心地のよい二重靴下になる。
【００２７】
また、本考案の請求項２に記載の爪先部を二重にした靴下によれば、一番冷える爪先部を二重にしてあるから、少ない生地で爪先の保温が可能になり、かつ凹凸部が足の膚部に当接し、凹部が空気層となり断熱、保温の成果を上げることができ、保温性と通気性がよく履き心地が良くなる。
【図面の簡単な説明】
【図１】本考案の第１実施の一部切欠側面図である。
【図２】外側靴下と内側靴下の連設状態の正面図である。
【図３】薄編地部を縫着した状態の正面図である。
【図４】Ａ−Ａ線拡大断面図である。
【図５】外側靴下を反転していく状態の正面図である。
【図６】外側靴下を内側靴下に重ね合わせた状態の側面図である。
【図７】爪先部の先端部を示す斜視図である。
【図８】爪先部の拡大断面図である。
【図９】畦編の組織図である。
【図１０】タック編の組織図である。
【図１１】本考案の第２実施の一部切欠側面図である。
【図１２】短筒体と靴下本体の連設状態の正面図である。
【図１３】薄編地部を縫着した状態の正面図である。
【図１４】短筒体を反転していく状態の正面図である。
【図１５】短筒体と靴下本体を重ね合わせた状態の側面図である。
【符号の説明】
１，１１　靴下本体
６，１６　底部
７，１７　爪先部
８，１８　薄編地部
１９　　　短筒体
【図１】
0003098891.tif 000003
【図２】
0003098891.tif 000004
【図３】
0003098891.tif 000005
【図４】
0003098891.tif 000006
【図５】
0003098891.tif 000007
【図６】
0003098891.tif 000008
【図７】
0003098891.tif 000009
【図８】
0003098891.tif 000010
【図９】
0003098891.tif 000011
【図１０】
0003098891.tif 000012
【図１１】
0003098891.tif 000013
【図１２】
0003098891.tif 000014
【図１３】
0003098891.tif 000015
【図１４】
0003098891.tif 000016
【図１５】
0003098891.tif 000017